(57)【特許請求の範囲】
【請求項１】
ガラスラミネートの製造方法であって、真空条件下で、０．２ｍｍの厚さに成型することができる分量の液状シリコーンゴムをモールド内に注入し、ガラスプレートを、ラミネートする面がモールド内の液状シリコーンゴムに面するようにモールド内に装着し、押さえ板でガラスプレートを圧着して定位する；焼成：８０℃〜１５０℃で、２０〜３０分間焼成する；成型してから、接着フィルムおよびガラスプレートを一緒にモールドから取り出す過程である製造方法。
【請求項２】
該モールドは上端が開放しており、下部キャビティの形状がガラスプレートの形状と一致する箱形状であることを特徴とする、請求項１に記載のガラスラミネートの製造方法。
【請求項３】
モールドの側面に定位溝を有し、押さえ板に、対応する定位突起が設けられることを特徴とする、請求項２に記載のガラスラミネートの製造方法。
【請求項４】
モールドの下部に加熱部位が設けられ、該加熱部位に加熱器設置空間が設けられ、液状シリコーンゴムを加熱する加熱器が内蔵されることを特徴とする、請求項３に記載のガラスラミネートの製造方法。
【請求項５】
モールドの下部に加熱孔が設けられ、加熱ロッドを加熱孔に挿入して加熱することを特徴とする、請求項４に記載のガラスラミネートの製造方法。
【請求項６】
該モールドの内壁面に付着防止コートを吹き付けることを特徴とする、請求項１に記載のガラスラミネートの製造方法。
【請求項７】
該付着防止コートが０．０１〜０．０２ｍｍのテフロンコートであることを特徴とする、請求項６に記載のガラスラミネートの製造方法。
【発明の詳細な説明】
【技術分野】
【０００１】
本発明はガラス表面のラミネート技術に関し、特に真空環境下で直接ガラスに接着フィルムを射出成型する技術に関する。
【背景技術】
【０００２】
本発明で採用するガラスは、一般的に照明の透光パネル部分とすることができる硬質の材料を指し、例えばサファイア、ＰＶＣおよびガラス類である。ＬＥＤ照明灯に用いる透光パネルが照明を保証するとき、透光性は良好である。本発明では、ＬＥＤチップが発する光子を接着フィルムにより励起し、可視光線を形成する透光パネルを製造しようとしており、そのためガラスにラミネートする必要がある。
【０００３】
現在用いられている成型技術は、接着フィルムを単独でモールドにより成型し、その後、接着剤でガラスに接着する。このような工程で得られる接着フィルムおよびガラスは一体構造ではなく、さらに接着フィルムおよびガラスの間に、接着するための接着体を１層有し、完全に継ぎ目無しにつなげるのは不可能である。光子は接着フィルムに進入すると、間の接着用の接着体を通過するが、光子はこの接着体で反射され、光の損失が生じる。さらに接着フィルムおよびガラスは一体成型ではなく、光子が接着体を通過してガラス表面に進入するとき、鏡面反射が起こる。これも光の損失をもたらし、発光効率に影響を及ぼす。
【０００４】
他に、接着させた接着体を、光が強く、高温の環境に長時間置くと、接着体が容易に劣化する。接着効果に影響を及ぼし、これにより最終的にＬＥＤ灯の寿命に影響を及ぼす。
【０００５】
接着方式の採用を考慮しなければ、一体成型、直接射出成型する方式を考慮するが、従来の射出成型モールドが複雑になる問題が存在する。従来の射出成型モールドは成型部分、注入システム、ガイド機構、押出機構、冷却および加熱システムなどを含み、さらに離型が難しい問題を有する。透光パネルに射出成型を行う場合、射出成型過程で、排気がスムーズである、接着フィルム自体の膨張およびバブリングの問題を防止する、離型して接着フィルムが裂ける問題を防止する、ことを確実に保証する必要がある。
【発明の概要】
【発明が解決しようとする課題】
【０００６】
本発明は以上の状況に対して、真空環境下の開放型樹脂注入方式により、ガラスラミネートを製造することを示している。このガラスラミネート方式は、接着フィルムおよびガラスの完全性を保証し、取付工程を省略することができる。最適な出光、導光効果を提供することもでき、鏡面現象が生じるのを防止する。生産過程全体が簡単で、離型が便利である。
【０００７】
本発明の係るガラスラミネートの製造方法の過程は次の通りである。真空条件下で、０．２ｍｍの厚さに成型することができる分量の液状シリコーンゴムをモールド内に注入し、ガラスプレートを、ラミネートする面がモールド内の液状シリコーンゴムに面するようにモールド内に装着し、押さえ板でガラスプレートを圧着して定位する。焼成：８０℃〜１５０℃で、２０〜３０分間焼成する。成型してから、接着フィルムおよびガラスプレートを一緒にモールドから取り出す。
【０００８】
モールドは上端が開放しており、下部キャビティの形状はガラスプレートの形状と一致する箱形状である。
【０００９】
モールドの側面に定位溝を有し、押さえ板に、対応する定位突起が設けられる。
【００１０】
モールドの下部に加熱部位が設けられ、該加熱部位に加熱器設置空間が設けられ、液状シリコーンゴムを加熱する加熱器が内蔵される。
【００１１】
モールドの下部に加熱孔が設けられ、加熱ロッドを加熱孔に挿入して加熱する。
【００１２】
該モールドの内壁面に付着防止コートを吹き付ける。
【００１３】
該付着防止コートは０．０１〜０．０２ｍｍのテフロンコートである。
【００１４】
本発明は、真空環境下において開放式で樹脂を注入する。モールドは下モールド部分しか有さず、直接キャビティ内に樹脂を注入し、自動化装置で離型する。モールド自体の構造は簡単で、操作は容易であり、従来の射出成型モールドに存在する可能性がある問題、例えば排気がスムーズでない、プラスチック加工部品の膨張およびバブリングなどを防止した。接着フィルムの厚さは０．２ｍｍしかなく、直接ガラスを成型過程における１つの部材とし、接着フィルムと一体成型し、最後に一緒に離型する。従来のモールドの離型過程で生じる可能性があるキャビ取られ、加工部品の破損などの問題を解決し、０．２ｍｍの薄膜の取付が難しい問題も解決した。
【図面の簡単な説明】
【００１５】
【図１】図１は、本発明の一実施例のガラスラミネートの製造方法における装備の構造概要図である。
【発明を実施するための形態】
【００１６】
以下に、本発明の図および具体的実施方式を組み合わせて、本発明のガラスラミネートの製造方法について、さらに詳細に説明する。
【００１７】
図１を参照されたい。図１は、ガラスラミネートの製造方法を実行する配置を示している。このうちモールド２０と、押さえ板３０と、加熱ロッド４０と、モールド２０および押さえ板３０の間に位置するガラスプレート１０とを含んでいる。
【００１８】
ガラスラミネートの製造方法の過程は次の通りである。真空条件下で、充分な分量の液状シリコーンゴムをモールド２０内に注入する。真空状態下でシリコーンゴムは自然に水平になり、およそ０．２ｍｍの厚さの１層が形成される。注入後の液状シリコーンゴムの厚さは０．２ｍｍよりやや厚くするべきであり、焼成後わずかに収縮する現象が生じる。
【００１９】
自動化搬入搬出装置により、ガラスプレート１０を吸着してモールド２０内に入れる。ガラスプレート１０を、ラミネートする面がモールド内の液状シリコーンゴムに面するようにモールド２０内に装着し、押さえ板３０でガラスプレートを圧着して定位する。焼成：８０℃〜１５０℃で、２０〜３０分間焼成する。ダウコーニング社のシリコーンゴムを採用した場合、８０℃〜１００℃の温度で２０〜３０分間焼成する必要があり、信越のシリコーンゴムを採用した場合、１５０℃の温度で２０〜３０分間焼成する必要がある。
【００２０】
成型すると、自動化装置が押さえ板３０および接着フィルムおよびガラスプレート１０をモールド２０から外し、さらに押さえ板３０をガラスから外す。このとき、接着フィルムは直接ガラスに付着し、ガラスプレート１０と一体である。
【００２１】
モールド２０は上端が開放しており、下部キャビティの形状はガラスプレートの形状と一致する箱形状である。
【００２２】
モールド２０の側面に定位溝２１を有し、押さえ板３０に、対応する定位突起３１が設けられる。押さえ板３０がガラスプレートを押さえ、モールド２０内に固定するとき、該定位突起３１はモールドの定位溝２１内に対応して係入され、ガラスプレート１０とモールド内部の下表面との間の間隔が０．２ｍｍに保持される。
【００２３】
モールド２０の下部に加熱部位が設けられ、該加熱部位に加熱器設置空間が設けられ、液状シリコーンゴムを加熱する加熱器が内蔵される。モールド２０の下部に加熱孔２２が設けられ、加熱ロッド４０を加熱孔２２に挿入して加熱する。
【００２４】
該モールドの内壁面に付着防止コートを吹き付ける。
【００２５】
該付着防止コートは０．０１〜０．０２ｍｍのテフロンコートである。
テフロンは優れた耐熱性、不粘着性、耐候性、絶縁性、耐腐食性、難燃性などの特性を有し、接着フィルムを離型させるとき、モールドの内表面に付着しないようにすることができる。
【００２６】
モールド自体の構造は簡単で、操作は容易であり、従来の射出成型モールドに存在する可能性がある問題、例えば排気がスムーズでない、プラスチック加工部品の膨張およびバブリングなどを防止した。接着フィルムの厚さは０．２ｍｍしかなく、直接ガラスを成型過程における１つの部材とし、接着フィルムと一体成型し、最後に一緒に離型する。従来のモールドの離型過程で生じる可能性があるキャビ取られ、加工部品の破損などの問題を解決し、０．２ｍｍの薄膜の取付が困難である問題も解決した。
【００２７】
以上の記載は本発明の好ましい実施例に過ぎず、本発明をどのような形式でも制限しない。本発明は、好ましい実施例により上記のように開示したが、本発明を限定するものではない。当業者は本発明の技術案を逸脱しない範囲内で、上記に示した技術内容を利用して、同等に変化した同等の実施例に変更または修飾することができるが、いずれも本発明の技術案の内容を逸脱しない。本発明に基づく技術とは、以上の実施例に対して行う簡単な修正、同等な変化および修飾を指し、いずれも本発明の技術案の範囲内に属する。
【符号の説明】
【００２８】
１０  ガラスプレート
２０  モールド
２１  定位溝
２２  加熱孔
３０  押さえ板
３１  定位突起
４０  加熱ロッド
【図１】
0006299996.tif 000002